(57)【要約】【課題】０〜９、１〜１２、１〜３１、１〜３５、１〜３６、１〜４３、１〜４５、１〜６０のいずれの複数個の数字からなる数字列を、簡単な操作により決定することができる数字列決定カードを提供する。【解決手段】９０枚のカードの表面に、１〜６０の第１群の数字、１〜１２の第２群の数字及び１〜３０の第３群の数字、または、３１〜４５の第４群の数字を表示しておく。裏面を上にして伏せて無作為なカード束とし、１枚ずつのカードをめくって数字列を決定する。第４群の数字のカードについては、決定する数字列において対象外となる数字が選択れたときには、無効とする。【選択図】図６
0003174785.tif 000002
【実用新案登録請求の範囲】
【請求項１】
表面に数字が表示され、裏面が同一の表示となされた９０枚のカードからなり、裏面を上にして伏せて無作為なカード束とし、１枚ずつのカードをめくって複数数字の数字列を決定する数字列決定カードであって、
第１乃至第１２のカードの表面には、第１の色によって、第１群の１〜１２の数字がそれぞれ表示され、
第１３乃至第２４のカードの表面には、第１の色によって、第１群の１３〜２４の数字と、第２群の１〜１２の数字とがそれぞれ表示され、
第２５乃至第３０のカードの表面には、第１の色によって、第１群の２５〜３０の数字と、第２群の１〜６の数字とがそれぞれ表示され、
第３１乃至第３６のカードの表面には、第１の色によって、第１群の３１〜３６の数字と、第２群の７〜１２の数字と、第３群の１〜６の数字とがそれぞれ表示され、
第３７乃至第４８のカードの表面には、第１の色によって、第１群の３７〜４８の数字と、第２群の１〜１２の数字と、第３群の７〜１８の数字とがそれぞれ表示され、
第４９乃至第６０のカードの表面には、第１の色によって、第１群の４９〜６０の数字と、第２群の１〜１２の数字と、第３群の１９〜３０の数字とがそれぞれ表示され、
第６１乃至第７５のカードの表面には、第２の色によって、第４群の３１〜４５の数字がそれぞれ表示され、
第７６乃至第９０のカードの表面には、第２の色によって、第４群の３１〜４５の数字がそれぞれ表示されている
ことを特徴とする数字列決定カード。
【考案の詳細な説明】
【技術分野】
【０００１】
本考案は、ロトシックス（以下、「ロト６」という。）ミニロト、ナンバーズフォー（以下、「ナンバーズ４」という。）、ナンバーズ スリー（以下、「ナンバーズ３」という。）等の名称で呼ばれている種々の数字選択式宝くじの抽せん数字等の数字列を容易に決定することができる数字列決定カードに関する。
【背景技術】
【０００２】
ロト６、ミニロト、ナンバーズ４、及びナンバーズ３の数字選択式宝くじは、偶然によって抽せん数字を決める宝くじであり、くじの予想者は、各自のやり方、考え方で当せん数字を選択することによって当せん数字を予測し、また、予想する過程を楽しむ宝くじでもある。
【０００３】
しかし、当せん数字を予想する者にとって数字の選択は迷うものであり、徒に時間を使ってしまったり、前回と同じ数字を選択したりしている。
【０００４】
そこで、当せん数字を電子的に予測する電子式予想器や、特許文献１及び特許文献２に記載されているように、カード型の予想具などが提案されている。例えば、トランプカードのようなカード束をなす各カードに、数字選択式宝くじの当選番号の数字列を構成する数字を印字し、このカード束から所定枚数のカードを選択することによって数字列の決定ができるようにしたカード型の予想具が提案されている。
【先行技術文献】
【特許文献】
【０００５】
【特許文献１】実用新案登録第３１３９９９８号公報
【特許文献２】特開２００２−０５２１１５号公報
【考案の概要】
【考案が解決しようとする課題】
【０００６】
ところで、数字選択式宝くじの当選番号となる数字列には、０〜９のいずれからなる複数数字の数字列（ナンバーズ３、ナンバーズ４）、１〜４３のいずれからなる複数数字の数字列（ロト６）及び１〜３１のいずれからなる複数数字の数字列（ミニロト）の他にも、中国や米国で実施されている数字選択式宝くじでは、１〜１２、１〜３５、１〜３６、１〜４５、１〜６０など、最大の数字が異なる種々の数字列がある。
【０００７】
従来より提案されているカード型の予想具では、最大の数字が異なる種々の数字列を決定することができない。
【０００８】
仮に、１〜６０が表示されたカードを用いて、１〜３５のいずれからなる複数数字の数字列を決定しようとすると、１〜３５のいずれかが選択されたときにはよいが、３６〜６０のいずれかが選択されたときには無効となる。この場合、３５／６０＝７／１２≒５８％のカードが無効ということになってしまい、無駄な操作が多くなってしまう。
【０００９】
無駄な操作を減らすために、１〜３５のいずれかが選択されたときには、そのままの数字を選択することとし、３６〜６０のいずれかが選択されたときには、それぞれから３５を差し引いた１〜２５を選択することとした場合には、１〜２５と、２６〜３５とで、選択される確率が同一にならないので、予想具として不適切である。
【００１０】
また、１〜６０が表示されたカード束から、３６〜６０のカードを予め抜いておくことが考えられるが、このように、所定の数字のカードを予め抜くことは、煩雑である。
【００１１】
そこで、本考案は、前述の実情に鑑みて提案されるものであって、最大の数字が異なる種々の数字列を決定するにあたって、所定の数字のカードを予め抜くといった煩雑な操作を要せずに、また、無駄な選択操作を極力減らしつつ、各数字が選択される確率が同一となされた数字列決定カードを提供することを目的とする。
【課題を解決するための手段】
【００１２】
前述の課題を解決し、前記目的を達成するため、本考案に係る数字列決定カードは、以下の構成のいずれか一を有するものである。
【００１３】
〔構成１〕
表面に数字が表示され裏面が同一の表示となされた９０枚のカードからなり裏面を上にして伏せて無作為なカード束とし１枚ずつのカードをめくって複数数字の数字列を決定する数字列決定カードであって、第１乃至第１２のカードの表面には、第１の色によって、第１群の１〜１２の数字がそれぞれ表示され、第１３乃至第２４のカードの表面には、第１の色によって、第１群の１３〜２４の数字と、第２群の１〜１２の数字とがそれぞれ表示され、第２５乃至第３０のカードの表面には、第１の色によって、第１群の２５〜３０の数字と、第２群の１〜６の数字とがそれぞれ表示され、第３１乃至第３６のカードの表面には、第１の色によって、第１群の３１〜３６の数字と、第２群の７〜１２の数字と、第３群の１〜６の数字とがそれぞれ表示され、第３７乃至第４８のカードの表面には、第１の色によって、第１群の３７〜４８の数字と、第２群の１〜１２の数字と、第３群の７〜１８の数字とがそれぞれ表示され、第４９乃至第６０のカードの表面には、第１の色によって、第１群の４９〜６０の数字と、第２群の１〜１２の数字と、第３群の１９〜３０の数字とがそれぞれ表示され、第６１乃至第７５のカードの表面には、第２の色によって、第４群の３１〜４５の数字がそれぞれ表示され、第７６乃至第９０のカードの表面には、第２の色によって、第４群の３１〜４５の数字がそれぞれ表示されていることを特徴とするものである。
【００１４】
なお、構成１を有する数字列決定カードにおいて、カードの各々の裏面は、情報表示スペースとすることができる。
【考案の効果】
【００１５】
本考案に係る数字列決定カードは、第１乃至第１２のカードの表面には、第１の色によって、第１群の１〜１２の数字がそれぞれ表示され、第１３乃至第２４のカードの表面には、第１の色によって、第１群の１３〜２４の数字と、第２群の１〜１２の数字とがそれぞれ表示され、第２５乃至第３０のカードの表面には、第１の色によって、第１群の２５〜３０の数字と、第２群の１〜６の数字とがそれぞれ表示され、第３１乃至第３６のカードの表面には、第１の色によって、第１群の３１〜３６の数字と、第２群の７〜１２の数字と、第３群の１〜６の数字とがそれぞれ表示され、第３７乃至第４８のカードの表面には、第１の色によって、第１群の３７〜４８の数字と、第２群の１〜１２の数字と、第３群の７〜１８の数字とがそれぞれ表示され、第４９乃至第６０のカードの表面には、第１の色によって、第１群の４９〜６０の数字と、第２群の１〜１２の数字と、第３群の１９〜３０の数字とがそれぞれ表示され、第６１乃至第７５のカードの表面には、第２の色によって、第４群の３１〜４５の数字がそれぞれ表示され、第７６乃至第９０のカードの表面には、第２の色によって、第４群の３１〜４５の数字がそれぞれ表示されているので、０〜９のいずれからなる複数数字の数字列（ナンバーズ３、ナンバーズ４）、１〜４３のいずれからなる複数数字の数字列（ロト６）及び１〜３１のいずれからなる複数数字の数字列（ミニロト）の他、１〜１２、１〜３５、１〜３６、１〜４５、１〜６０など、最大の数字が異なる種々の数字列（中国や米国で実施されている数字選択式宝くじ）を決定するにあたって、所定の数字のカードを予め抜くといった煩雑な操作を要せずに、また、無駄な選択操作を極力減らしつつ、各数字が選択される確率を同一として、数字列を決定することができる。
【００１６】
すなわち、本考案は、最大の数字が異なる種々の数字列を決定するにあたって、所定の数字のカードを予め抜くといった煩雑な操作を要せずに、また、無駄な選択操作を極力減らしつつ、各数字が選択される確率が同一となされた数字列決定カードを提供することができるものである。
【図面の簡単な説明】
【００１７】
【図１】本考案に係る数字列決定カード（第１のカード〜第９のカード）の構成を示す平面図である。
【図２】本考案に係る数字列決定カード（第１０のカード〜第１８のカード）の構成を示す平面図である。
【図３】本考案に係る数字列決定カード（第１９のカード〜第２７のカード）の構成を示す平面図である。
【図４】本考案に係る数字列決定カード（第２８のカード〜第３６のカード）の構成を示す平面図である。
【図５】本考案に係る数字列決定カード（第３７のカード〜第４５のカード）の構成を示す平面図である。
【図６】本考案に係る数字列決定カード（第４６のカード〜第５４のカード）の構成を示す平面図である。
【図７】本考案に係る数字列決定カード（第５５のカード〜第６０のカード）の構成を示す平面図である。
【図８】本考案に係る数字列決定カード（第６１のカード〜第６９のカード）（第７６のカード〜第８４のカード）の構成を示す平面図である。
【図９】本考案に係る数字列決定カード（第７０のカード〜第７５のカード）（第８５のカード〜第９０のカード）の構成を示す平面図である。
【考案を実施するための形態】
【００１８】
以下、本考案を実施するための形態について、図面を参照して詳細に説明する。
【００１９】
図１乃至図９は、本考案に係る数字列決定カードの構成を示す平面図である。
【００２０】
本考案に係る数字列決定カードは、図１乃至図９に示すように、表面に数字が表示され、裏面が同一の表示（模様等）となされた９０枚のカードからなる。この数字列決定カードは、裏面を上にして伏せて、無作為なカード束とし、１枚ずつのカードをめくることによって、複数数字の数字列を決定することができる。複数数字の数字列とは、例えば、「１０−４−１５−９−２８」というもので、この例では、「５つの数字の数字列」ということになる。
【００２１】
ナンバーズ３では、０〜９のいずれからなる３つの数字の数字列（例えば、「３−５−２」）が当選番号となる。ナンバーズ４では、０〜９のいずれからなる４つの数字の数字列（例えば、「３−５−２−７」）が当選番号となる。ミニロトでは、１〜３１のいずれからなる５つの数字の数字列（例えば、「１３−２５−２−７−３０」）が当選番号となる。ロト６では、１〜４３のいずれからなる６つの数字の数字列（例えば、「１３−２５−２−７−３０−４２」）が当選番号となる。
【００２２】
また、中国で実施されている数字選択式宝くじでは、１〜１２、１〜３５、１〜３６、または、１〜４５のいずれからなる６つの数字の数字列が当選番号となる。米国で実施されている数字選択式宝くじでは、１〜４５、または、１〜６０のいずれからなる６つの数字の数字列が当選番号となる。
【００２３】
この数字列決定カードは、図１、図２及び〔表１〕に示すように、第１乃至第１２のカードの表面には、第１の色（例えば、黒色）によって、第１群の１〜１２の数字がそれぞれ表示されている。
【００２４】
また、図２及び図３に示すように、第１３乃至第２４のカードの表面には、第１の色によって、第１群の１３〜２４の数字と、第２群の１〜１２の数字とがそれぞれ表示されている。
【００２５】
なお、図１及び図７においては、上段が第１群の数字を表し、中段が第２群の数字を表し、下段が第３群の数字を表している。
【００２６】
同様に、図３、図４及び〔表１〕に示すように、第２５乃至第３０のカードの表面には、第１の色によって、第１群の２５〜３０の数字と、第２群の１〜６の数字とがそれぞれ表示されている。
【００２７】
図４、図５及び〔表１〕に示すように、第３１乃至第３６のカードの表面には、第１の色によって、第１群の３１〜３６の数字と、第２群の７〜１２の数字と、第３群の１〜６の数字とがそれぞれ表示されている。
【００２８】
図５、図６及び〔表１〕に示すように、第３７乃至第４８のカードの表面には、第１の色によって、第１群の３７〜４８の数字と、第２群の１〜１２の数字と、第３群の７〜１８の数字とがそれぞれ表示されている。
【００２９】
図６、図７及び〔表１〕に示すように、第４９乃至第６０のカードの表面には、第１の色によって、第１群の４９〜６０の数字と、第２群の１〜１２の数字と、第３群の１９〜３０の数字とがそれぞれ表示されている。
【００３０】
そして、図８、図９及び〔表１〕に示すように、第６１乃至第７５のカードの表面には、第２の色（例えば、赤色）によって、第４群の３１〜４５の数字がそれぞれ表示されている。
【００３１】
第７６乃至第９０のカードの表面には、第６１乃至第７５のカードと同様に、図８、図９及び〔表１〕に示すように、第２の色によって、第４群の３１〜４５の数字がそれぞれ表示されている。
【表１】
0003174785.tif 000003
【００３２】
この数字列決定カードを用いて、複数数字の数字列を決定する方法を以下に説明する。
【００３３】
この数字列決定カードにおいては、９０枚のカードをよくシャッフルして順序が無作為なカード束とし、裏面を上にして伏せて、カード束の上側（下側）から順番に、あるいは、カード束の任意の位置から、所定枚数の任意のカードを選択して、そのカードの表面に表示された数字を選択してゆき、選択した順序の数字列として、数字列を決定する。なお、カード束を裏面を上にして伏せた状態で机上等に平面状に拡げて、任意のカードを選択するようにしてもよい。
【００３４】
選択したカードは、カード束の任意の位置に戻して次のカードを選択することとしてもよいし、カード束には戻さずに、残ったカードから次のカードを選択することとしてもよい。
【００３５】
〔０〜９のいずれからなる３つの数字の数字列を決定する場合（ナンバーズ３）〕
この場合には、３枚のカードを選択して、第１群の数字の下１桁を選択された数字とする。第４群の数字（３１〜４５）のカードは、選択されても無効として、回数に含めない。選択されるカードにおける第１群の数字（１〜６０）の下１桁は、「０〜９」のいずれもが６枚ずつ存在するので、同一の確率となる。
【００３６】
なお、第４群の数字のカードは、予め抜いてもおいてもよい。この数字列決定カードにおいては、第４群の数字は、文字色が他の群の数字と異なるので、予め抜くことは容易である。
【００３７】
〔０〜９のいずれからなる４つの数字の数字列を決定する場合（ナンバーズ４）〕
この場合には、４枚のカードを選択して、第１群の数字の下１桁を選択された数字とする。第４群の数字（３１〜４５）のカードは、選択されても無効として、回数に含めない。第４群の数字のカードは、予め抜いてもおいてもよい。選択されるカードにおける第１群の数字（１〜６０）の下１桁は、「０〜９」のいずれもが６枚ずつ存在するので、同一の確率となる。
【００３８】
〔１〜１２のいずれからなる６つの数字の数字列を決定する場合〕
この場合には、６枚のカードを選択して、第１群の数字のうち１〜１２と、第２群の数字（１〜１２）とを選択された数字とする。第４群の数字（３１〜４５）のカードは、選択されても無効として、回数に含めない。第４群の数字のカードは、予め抜いてもおいてもよい。選択される数字は、「１〜１２」のいずれもが５枚ずつ存在するので、同一の確率となる。
【００３９】
〔１〜３１のいずれからなる５つの数字の数字列を決定する場合（ミニロト）〕
この場合には、５枚のカードを選択して、第１群の数字のうち１〜３０と、第３群の数字（１〜３０）と、第４群の数字のうち３１とを選択された数字とする。第４群の数字のうちの３２〜４５のカードは、選択されても無効として、回数に含めない。第４群の数字のうちの３２〜４５のカードは、予め抜いてもおいてもよい。選択される数字は、「１〜３１」のいずれもが２枚ずつ存在するので、同一の確率となる。
【００４０】
〔１〜３５のいずれからなる６つの数字の数字列を決定する場合〕
この場合には、６枚のカードを選択して、第１群の数字のうち１〜３０と、第３群の数字（１〜３０）と、第４群の数字のうち３１〜３５とを選択された数字とする。第４群の数字のうちの３６〜４５のカードは、選択されても無効として、回数に含めない。第４群の数字のうちの３６〜４５のカードは、予め抜いてもおいてもよい。選択される数字は、「１〜３５」のいずれもが２枚ずつ存在するので、同一の確率となる。
【００４１】
〔１〜３６のいずれからなる６つの数字の数字列を決定する場合〕
この場合には、６枚のカードを選択して、第１群の数字のうち１〜３０と、第３群の数字（１〜３０）と、第４群の数字のうち３１〜３６とを選択された数字とする。第４群の数字のうちの３７〜４５のカードは、選択されても無効として、回数に含めない。第４群の数字のうちの３７〜４５のカードは、予め抜いてもおいてもよい。選択される数字は、「１〜３６」のいずれもが２枚ずつ存在するので、同一の確率となる。
【００４２】
〔１〜４３のいずれからなる６つの数字の数字列を決定する場合（ロト６）〕
この場合には、６枚のカードを選択して、第１群の数字のうち１〜３０と、第３群の数字（１〜３０）と、第４群の数字のうち３１〜４３とを選択された数字とする。第４群の数字のうちの４４、４５のカードは、選択されても無効として、回数に含めない。第４群の数字のうちの４４、４５のカードは、予め抜いてもおいてもよい。選択される数字は、「１〜４３」のいずれもが２枚ずつ存在するので、同一の確率となる。
【００４３】
〔１〜４５のいずれからなる６つの数字の数字列を決定する場合〕
この場合には、６枚のカードを選択して、第１群の数字のうち１〜３０と、第３群の数字（１〜３０）と、第４群の数字（３１〜４５）とを選択された数字とする。選択される数字は、「１〜４５」のいずれもが２枚ずつ存在するので、同一の確率となる。
【００４４】
〔１〜６０のいずれからなる６つの数字の数字列を決定する場合〕
この場合には、６枚のカードを選択して、第１群の数字（１〜６０）を選択された数字とする。第４群の数字（３１〜４５）のカードは、選択されても無効として、回数に含めない。第４群の数字のカードは、予め抜いてもおいてもよい。選択される数字は、「１〜６０」のいずれもが１枚ずつ存在するので、同一の確率となる。
【００４５】
なお、本実施の形態の説明中においては、第１群〜第３群の数字の文字色と、第４群の数字の文字色とを異なるものとしているが、文字色を異ならせずに、背景を異なるものとしてもよく、また、文字色及び背景がともに異なることとしてもよい。
【００４６】
また、図面においては、第１群〜第３群の数字、または、第４群の数字が、それぞれ１個ずつ表示されているものを示しているが、これらを２個ずつ逆方向に表示して、上下対象（回転対象）な表示としてもよい。
【００４７】
この数字列決定カードにおいて、カードの各々の裏面は、情報表示スペース（広告スペース）とすることができる。
この数字列決定カードは、前述のように、上限の数字が種々の数字である数字列を決定することができるので、前述のような数字選択式宝くじに限らず、競馬、競輪、ｔｏｔｏサッカーくじなどにおける数字列決定にも適用することができる。
【００４８】
〔０〜９のいずれからなる３つの数字の数字列を決定するための専用のカード（ナンバーズ３用）〕
この場合には、それぞれのカードの表面に１つの数字（複数の数字を表示してもよいが、その場合には、全て同一の数字とする）が表示されたものとしてもよい。
【００４９】
各カードは、「０〜９」の１０枚が１組となり、これを１組、または、複数組で用いる。
【００５０】
３枚のカードを選択して、３つの数字を選択して、選択された順の数字列とする。
【００５１】
〔０〜９のいずれからなる４つの数字の数字列を決定するための専用のカード（ナンバーズ４用）〕
この場合には、それぞれのカードの表面に１つの数字（複数の数字を表示してもよいが、その場合には、全て同一の数字とする）が表示されたものとしてもよい。
【００５２】
各カードは、「０〜９」の１０枚が１組となり、これを１組、または、複数組で用いる。
【００５３】
４枚のカードを選択して、４つの数字を選択して、選択された順の数字列とする。
【００５４】
〔１〜３１のいずれからなる５つの数字の数字列を決定するための専用のカード（ミニロト用）〕
この場合には、それぞれのカードの表面に１つの数字（複数の数字を表示してもよいが、その場合には、全て同一の数字とする）が表示されたものとしてもよい。
【００５５】
各カードは、「１〜３１」の３１枚が１組となり、これを１組、または、複数組で用いる。
【００５６】
５枚のカードを選択して、５つの数字を選択して、選択された順の数字列とする。
【００５７】
〔１〜４３のいずれからなる６つの数字の数字列を決定するための専用のカード（ロト６用）〕
この場合には、それぞれのカードの表面に１つの数字（複数の数字を表示してもよいが、その場合には、全て同一の数字とする）が表示されたものとしてもよい。
【００５８】
各カードは、「１〜４３」の４３枚が１組となり、これを１組、または、複数組で用いる。
【００５９】
６枚のカードを選択して、６つの数字を選択して、選択された順の数字列とする。
【００６０】
〔１〜１２のいずれからなる６つの数字の数字列を決定するための専用のカード〕
この場合には、それぞれのカードの表面に１つの数字（複数の数字を表示してもよいが、その場合には、全て同一の数字とする）が表示されたものとしてもよい。
【００６１】
各カードは、「１〜１２」の１２枚が１組となり、これを１組、または、複数組で用いる。
【００６２】
６枚のカードを選択して、６つの数字を選択して、選択された順の数字列とする。
【００６３】
〔１〜３５のいずれからなる６つの数字の数字列を決定するための専用のカード〕
この場合には、それぞれのカードの表面に１つの数字（複数の数字を表示してもよいが、その場合には、全て同一の数字とする）が表示されたものとしてもよい。
【００６４】
各カードは、「１〜３５」の３５枚が１組となり、これを１組、または、複数組で用いる。
【００６５】
６枚のカードを選択して、６つの数字を選択して、選択された順の数字列とする。
【００６６】
〔１〜３６のいずれからなる６つの数字の数字列を決定するための専用のカード〕
この場合には、それぞれのカードの表面に１つの数字（複数の数字を表示してもよいが、その場合には、全て同一の数字とする）が表示されたものとしてもよい。
【００６７】
各カードは、「１〜３６」の３６枚が１組となり、これを１組、または、複数組で用いる。
【００６８】
６枚のカードを選択して、６つの数字を選択して、選択された順の数字列とする。
【００６９】
〔１〜４５のいずれからなる６つの数字の数字列を決定するための専用のカード〕
この場合には、それぞれのカードの表面に１つの数字（複数の数字を表示してもよいが、その場合には、全て同一の数字とする）が表示されたものとしてもよい。
【００７０】
各カードは、「１〜４５」の４５枚が１組となり、これを１組、または、複数組で用いる。
【００７１】
６枚のカードを選択して、６つの数字を選択して、選択された順の数字列とする。
【００７２】
〔１〜６０のいずれからなる６つの数字の数字列を決定するための専用のカード〕
この場合には、それぞれのカードの表面に１つの数字（複数の数字を表示してもよいが、その場合には、全て同一の数字とする）が表示されたものとしてもよい。
【００７３】
各カードは、「１〜６０」の６０枚が１組となり、これを１組で用いる。
【００７４】
６枚のカードを選択して、６つの数字を選択して、選択された順の数字列とする。
【産業上の利用可能性】
【００７５】
本考案は、ロト６、ミニロト、ナンバーズ４、ナンバーズ３等の名称で呼ばれている種々の数字選択式宝くじの抽せん数字等の数字列を容易に決定することができる数字列決定カードに適用される。
【図１】
0003174785.tif 000004
【図２】
0003174785.tif 000005
【図３】
0003174785.tif 000006
【図４】
0003174785.tif 000007
【図５】
0003174785.tif 000008
【図６】
0003174785.tif 000009
【図７】
0003174785.tif 000010
【図８】
0003174785.tif 000011
【図９】
0003174785.tif 000012